【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
サーバと、記憶装置と、通信装置とを備えたコンピュータシステムによる電子サービスサイトの運営システムであって、
前記サーバは、前記電子サービスサイトに通信回線を介して接続された画像提供者端末から公開可否情報及び検索情報を有する画像情報を受け付けて、前記公開可否情報が可の画像情報をデジタル公開アルバム情報として前記記憶装置に保管すると共にこのデジタル公開アルバム情報を電子サービスサイトで公開可能とし、
前記サーバは、前記電子サービスサイトに通信回線を介して接続された画像利用者端末から前記電子サービスサイトに対する検索依頼を受け付け、前記検索依頼に基づいて前記デジタル公開アルバム情報から前記検索依頼に合致する画像情報を検索し、この検索結果を前記画像利用者端末に提供することを特徴とする電子サービスサイトの運営システム。
【請求項２】
前記サーバは、前記画像提供者端末から受け付けた画像情報をデジタルプライベートアルバムとして前記記憶装置に保管するとともに、このデジタルプライベートアルバム情報を電子プライベートサービスサイトを介して検索・編集・出力可能とし、
前記サーバは、前記画像を保管する依頼を行った前記画像提供者端末から前記電子プライベートサービスサイトに対する検索依頼を受け付け、
前記検索依頼に基づいて前記デジタルプライベートアルバム情報から前記検索依頼に合致する画像情報を検索し、
この検索結果を前記画像を保管する依頼を行った前記画像提供者端末に提供することを特徴とする請求項１記載の電子サービスサイトの運営システム。
【請求項３】
前記コンピュータシステムは、画像提供者のポイントを記録するデータベースを前記記憶装置に備え、
前記サーバは、前記電子サービスサイトにおいて検索される公開画像の利用状況に基づいて、その公開画像を提供した画像提供者のデータベースのポイントを更新することを特徴とする請求項１または２に記載の電子サービスサイトの運営システム。
【請求項４】
前記サーバは、前記電子サービスサイトにおいて検索される公開画像の利用状況に基づいて、その公開画像を提供した画像提供者によって保管される前記デジタルプライベートアルバム情報に対する保管費用の軽減処理を行うことを特徴とする請求項２に記載の電子サービスサイトの運営システム。
【請求項５】
サーバと、記憶装置と、通信装置とを備えたコンピュータシステムによる電子サービスサイトにおけるデジタルアルバム登録公開方法であって、
前記サーバは、前記電子サービスサイトに通信回線を介して接続された画像提供者端末から公開可否情報及び検索情報を有する画像情報を受け付けて、前記公開可否情報が可の画像情報をデジタル公開アルバム情報として前記記憶装置に保管すると共にこのデジタル公開アルバム情報を電子サービスサイトで公開可能とし、
前記サーバは、前記電子サービスサイトに通信回線を介して接続された画像利用者端末から前記電子サービスサイトに対する検索依頼を受け付け、前記検索依頼に基づいて前記デジタル公開アルバム情報から前記検索依頼に合致する画像情報を検索し、この検索結果を前記画像利用者端末に提供することを特徴とするデジタルアルバム登録公開方法。
【請求項６】
前記サーバは、前記画像提供者端末から受け付けた画像情報をデジタルプライベートアルバムとして前記記憶装置に保管するとともに、このデジタルプライベートアルバム情報を電子プライベートサービスサイトを介して検索・編集・出力可能とし、
前記サーバは、前記画像を保管する依頼を行った前記画像提供者端末から前記電子プライベートサービスサイトに対する検索依頼を受け付け、
前記検索依頼に基づいて前記デジタルプライベートアルバム情報から前記検索依頼に合致する画像情報を検索し、
この検索結果を前記画像を保管する依頼を行った前記画像提供者端末に提供することを特徴とする請求項５記載のデジタルアルバム登録公開方法。
【請求項７】
前記コンピュータシステムは、画像提供者のポイントを記録するデータベースを前記記憶装置に備え、
前記サーバは、前記電子サービスサイトにおいて検索される公開画像の利用状況に基づいて、その公開画像を提供した画像提供者のデータベースのポイントを更新することを特徴とする請求項５または６に記載のデジタルアルバム登録公開方法。
【請求項８】
前記サーバは、前記電子サービスサイトにおいて検索される公開画像の利用状況に基づいて、その公開画像を提供した画像提供者によって保管される前記デジタルプライベートアルバム情報に対する保管費用の軽減処理を行うことを特徴とする請求項６に記載のデジタルアルバム登録公開方法。
【請求項９】
通信回線を介して画像提供者端末と画像利用者端末が接続されるデジタルアルバム登録公開端末を備えたデジタルアルバム登録公開システムにおいて、
デジタルアルバム登録端末はサーバ及び記憶装置を有し、
前記サーバは、
画像提供端末から通信回線を介して送信される公開可否情報及び検索情報を有する画像情報を受信する機能と、
前記受信した画像情報を前記記憶装置にデジタルアルバムとして記憶させる機能と、
画像利用者端末及び前記画像提供者端末から通信回線を介して検索依頼情報を受け付ける機能と、
前記検索依頼情報に基づいて前記デジタルアルバムから前記検索依頼情報に合致する画像情報を検索する機能と、
前記検索した画像情報を前記画像提供者端末に対しては公開可否に関わらず提供すると共に、前記画像利用者端末に対しては公開可のものを提供する機能とを有することを特徴とするデジタルアルバム登録公開システム。
【請求項１０】
前記サーバは、前記受信した画像情報を前記記憶装置にデジタルプライベートアルバムとして記憶させる機能と、
前記画像提供者端末から前記デジタルプライベートアルバムに対する検索依頼を受け付ける機能と、
前記検索依頼に基づいて前記デジタルプライベートアルバムから前記検索依頼に合致する画像情報を検索する機能と、
この検索結果を前記画像を保管する依頼を行った前記画像提供者端末に提供する機能とを有することを特徴とする請求項９記載のデジタルアルバム登録公開システム。
【手続補正２】
【補正対象書類名】明細書
【補正対象項目名】０００７
【補正方法】変更
【補正の内容】
【０００７】
【課題を解決するための手段】
上記目的を達成するために、本発明の代表的な発明の１つである電子サービスサイトの運営システムは、サーバと、記憶装置と、通信装置とを備えたコンピュータシステムによる電子サービスサイトの運営システムであって、前記サーバは、前記電子サービスサイトに通信回線を介して接続された画像提供者端末から公開可否情報及び検索情報を有する画像情報を受け付けて、前記公開可否情報が可の画像情報をデジタル公開アルバム情報として前記記憶装置に保管すると共にこのデジタル公開アルバム情報を電子サービスサイトで公開可能とし、前記サーバは、前記電子サービスサイトに通信回線を介して接続された画像利用者端末から前記電子サービスサイトに対する検索依頼を受け付け、前記検索依頼に基づいて前記デジタル公開アルバム情報から前記検索依頼に合致する画像情報を検索し、この検索結果を前記画像利用者端末に提供することにある。
また、上記目的を達成するために、本発明の代表的な発明の１つであるデジタルアルバム登録公開方法は、サーバと、記憶装置と、通信装置とを備えたコンピュータシステムによる電子サービスサイトにおけるデジタルアルバム登録公開方法であって、前記サーバは、前記電子サービスサイトに通信回線を介して接続された画像提供者端末から公開可否情報及び検索情報を有する画像情報を受け付けて、前記公開可否情報が可の画像情報をデジタル公開アルバム情報として前記記憶装置に保管すると共にこのデジタル公開アルバム情報を電子サービスサイトで公開可能とし、前記サーバは、前記電子サービスサイトに通信回線を介して接続された画像利用者端末から前記電子サービスサイトに対する検索依頼を受け付け、前記検索依頼に基づいて前記デジタル公開アルバム情報から前記検索依頼に合致する画像情報を検索し、この検索結果を前記画像利用者端末に提供することにある。


【手続補正３】
【補正対象書類名】明細書
【補正対象項目名】０００８
【補正方法】変更
【補正の内容】
【０００８】
また、上記目的を達成するために、本発明の代表的な発明の１つであるデジタルアルバム登録公開システムは、通信回線を介して画像提供者端末と画像利用者端末が接続されるデジタルアルバム登録公開端末を備えたデジタルアルバム登録公開システムにおいて、
デジタルアルバム登録端末はサーバ及び記憶装置を有し、前記サーバは、画像提供端末から通信回線を介して送信される公開可否情報及び検索情報を有する画像情報を受信する機能と、前記受信した画像情報を前記記憶装置にデジタルアルバムとして記憶させる機能と、画像利用者端末及び前記画像提供者端末から通信回線を介して検索依頼情報を受け付ける機能と、前記検索依頼情報に基づいて前記デジタルアルバムから前記検索依頼情報に合致する画像情報を検索する機能と、前記検索した画像情報を前記画像提供者端末に対しては公開可否に関わらず提供すると共に、前記画像利用者端末に対しては公開可のものを提供する機能とを有することにある。